(57)【要約】【課題】非使用時における塵埃の侵入を防止し、記録ディスクメディアに対する塵埃の付着を防止することができる記録ディスクカートリッジを提供することを課題とする。【解決手段】記録ディスクメディア３０と、記録ディスクメディア３０を収容すると共に、この記録ディスクメディア３０を外部に臨ませるアクセス用開口部１０１を有するカートリッジケース１０と、記録ディスクメディア３０とカートリッジケース１０との間で回動することで、アクセス用開口部１０１を開閉するロータリシャッタ２０と、を備えた記録ディスクカートリッジ１であって、アクセス用開口部１０１の周縁部１１１ｃ，１２１ｃには、ロータリシャッタ２０が閉位置にあるときに、ロータリシャッタ２０の閉方向の先端縁２１１ａ，２２１ａの端面に対向する防塵壁８１，８２が形成されている。【選択図】図３
2007164873.tif 000002
【特許請求の範囲】
【請求項１】
記録ディスクメディアと、
前記記録ディスクメディアを収容すると共に、この記録ディスクメディアを外部に臨ませるケース開口を有するカートリッジケースと、
前記記録ディスクメディアと前記カートリッジケースとの間で回動することで、前記ケース開口を開閉するロータリシャッタと、を備えた記録ディスクカートリッジであって、
前記ケース開口の周縁部には、前記ロータリシャッタが閉位置にあるときに、前記ロータリシャッタの閉方向の先端縁の端面に対向する防塵壁が形成されていることを特徴とする記録ディスクカートリッジ。
【請求項２】
前記防塵壁は、前記ロータリシャッタの前記先端縁を挟み込むように断面略Ｌ字形状に形成されていることを特徴とする請求項１に記載の記録ディスクカートリッジ。
【請求項３】
前記防塵壁は、前記カートリッジケースを構成する上シェル及び下シェルの双方に設けられていることを特徴とする請求項１または請求項２に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。ここで、図９（ａ）は、従来の記録ディスクカートリッジの平面図であり、図９（ｂ）は、（ａ）のＡ−Ａ線矢視断面図である。図９（ａ）に示すように、特許文献１に記載の記録ディスクカートリッジ８００は、カートリッジケース８１０と、このカートリッジケース８１０の内部に回動可能に配置されたロータリシャッタ８２０と、このロータリシャッタ８２０の内部に回転自在に配置された記録ディスクメディア８３０とを備えている。
【０００４】
この記録ディスクカートリッジ８００では、図示しない専用のドライブ装置にセットされた際に、ロータリシャッタ８２０が回動することでロータリシャッタ８２０の切欠部８２１がカートリッジケース８１０のアクセス用開口部８１３と重なり合って、記録ディスクメディア８３０が外部に臨むようになっている。
【特許文献１】米国特許第６２５６１６８号明細書
【発明の開示】
【発明が解決しようとする課題】
【０００５】
しかしながら、従来の記録ディスクカートリッジ８００では、図９（ｂ）に示すように、非使用時、アクセス用開口部８１３を閉じるロータリシャッタ８２０とカートリッジケース８１０の間に形成される僅かな隙間に微小な塵埃が侵入し、それが、記録ディスクメディア８３０に付着するおそれがあった。特に、これらがモバイル用途に使用される場合においては、想定外の塵埃が侵入するおそれもある。このような塵埃の侵入は、記録ディスクカートリッジの高密度記録化、狭トラック化が進んでいる近年においては、記録再生に多大な影響を与えるという問題がある。
【０００６】
そこで、本発明は、非使用時における塵埃の侵入を防止し、記録ディスクメディアに対する塵埃の付着を防止することができる記録ディスクカートリッジを提供することを課題とする。
【課題を解決するための手段】
【０００７】
前記課題を解決するため、本発明は、記録ディスクメディアと、前記記録ディスクメディアを収容すると共に、この記録ディスクメディアを外部に臨ませるケース開口を有するカートリッジケースと、前記記録ディスクメディアと前記カートリッジケースとの間で回動することで、前記ケース開口を開閉するロータリシャッタと、を備えた記録ディスクカートリッジであって、前記ケース開口の周縁部には、前記ロータリシャッタが閉位置にあるときに、前記ロータリシャッタの閉方向の先端縁の端面に対向する防塵壁が形成されていることを特徴とする。
【０００８】
このような記録ディスクカートリッジによれば、ロータリシャッタが閉位置にある非使用時において、カートリッジケースとロータリシャッタの先端縁の端面と防塵壁の間の隙間は、屈折して形成される。これにより、カートリッジケース内への塵埃の侵入が防止でき、延いては、記録ディスクメディアに対する塵埃の付着を防止することができる。
【０００９】
また、本発明において、前記防塵壁は、前記ロータリシャッタの前記先端縁を挟み込むように断面略Ｌ字形状に形成することが好ましい。
これによれば、ロータリシャッタの先端縁は防塵壁によって挟み込まれるため、カートリッジケースとロータリシャッタの先端縁の端面と防塵壁の間の隙間は、さらに屈折して形成される。これにより、カートリッジケース内への塵埃の侵入が一層確実に防止でき、延いては、記録ディスクメディアに対する塵埃の付着を一層確実に防止することができる。
【００１０】
また、本発明において、前記防塵壁は、前記カートリッジケースを構成する上シェル及び下シェルの双方に設けられていることが好ましい。
これによれば、防塵壁が上シェル及び下シェルの双方に形成されているため、何れの面においてもカートリッジケースに対する塵埃の侵入を防止することができる。これにより、記録ディスクメディアの表裏両面に対する塵埃の付着を防止することができる。
【発明の効果】
【００１１】
本発明によれば、非使用時において、カートリッジケースとロータリシャッタの先端縁の端面と防塵壁の間の隙間が屈折して形成されるので、非使用時における塵埃の侵入を防止することができる。これにより、記録ディスクメディアに対する塵埃の付着を防止することができ、塵埃の付着による記録再生エラーを防止することができる。
【発明を実施するための最良の形態】
【００１２】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、本実施形態に係るカートリッジケースの斜視図であり、（ａ）は上シェルを下方（内側）からみた斜視図、（ｂ）は下シェルを上方（内側）からみた斜視図である。図４は、本実施形態に係るロータリシャッタを示す斜視図であり、（ａ）は前方斜め上方からみた図、（ｂ）は後方斜め下方からみた図である。図５（ａ）は下シェルと下シャッタの平面図であり、（ｂ）は（ａ）のＡ−Ａ線矢視断面図である。図６は、本実施形態に係る記録ディスクカートリッジを下方からみた底面図である。図７は、本実施形態に係る記録ディスクカートリッジの要部の断面図である。図８は、本実施形態に係る記録ディスクカートリッジをドライブ装置に挿入した状態を示す斜視図である。
なお、本説明において方向を説明する場合は、図１に示す前、後、右、左、上、下、を基準として説明する。
【００１３】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、を主に備えている。かかる記録ディスクカートリッジ１は、専用のドライブ装置Ｄ（図６参照）に前側から挿入されて使用される。
【００１４】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ、左端部１０ｄが平面視で略直線状に形成されている。
【００１５】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。
【００１６】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００１７】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００１８】
上シェル１１は、図３（ａ）に示すように、その前側左寄りの部分に、アクセス用開口部１１１を有している。アクセス用開口部１１１は、周縁部１１１ａ，１１１ｂ，１１１ｃの各端面から平面視でくさび形に切り欠かれた形状に形成されている。これと同様に、下シェル１２は、図３（ｂ）に示すように、その前側左寄りの部分に、アクセス用開口部１２１を有している。アクセス用開口部１２１は、周縁部１２１ａ，１２１ｂ，１２１ｃの各端面から平面視でくさび形に切り欠かれた形状に形成されている。そして、アクセス用開口部１１１とアクセス用開口部１２１とで、前記したカートリッジケース１０のアクセス用開口部１０１が構成されている。なお、アクセス用開口部１０１は、ドライブ装置ＤのスイングアームＳＡ（図８参照）の動作に干渉しない形状に形成されている。
【００１９】
また、上シェル１１は、図３（ａ）に示すように、前側左寄りの周縁部１１１ｃに沿って、内側に向けて立設する防塵壁８１を有している。防塵壁８１は、例えば、合成樹脂等からなるもので、板状の壁部８１ａと、この壁部８１ａの先端側から屈曲する屈曲部８１ｂとを有する。壁部８１ａは、上シェル１１の内面１１ａに接着され、後記するロータリシャッタ２０がアクセス用開口部１０１を閉じる位置（閉位置）にあるときに、ロータリシャッタ２０の先端縁２１１ａ（図４（ａ）参照）の端面が対向するようになっている。屈曲部８１ｂは、上シェル１１の内面１１ａと対向し、この内面１１ａとの間にロータリシャッタ２０の先端縁２１１ａが挟み込まれるようになっている。
これと同様に、下シェル１２は、図３（ｂ）に示すように、前側左寄りの周縁部１２１ｃに沿って、内側に向けて立設する防塵壁８２を有している。防塵壁８２は、例えば、合成樹脂等からなるもので、板状の壁部８２ａと、この壁部８２ａの先端側から屈曲する屈曲部８２ｂとを有する。壁部８２ａは、下シェル１２の内面１２ａに接着され、後記するロータリシャッタ２０がアクセス用開口部１０１を閉じる位置（閉位置）にあるときに、ロータリシャッタ２０の先端縁２２１ａの端面が対向するようになっている（図５（ｂ）参照）。屈曲部８２ｂは、下シェル１２の内面１２ａと対面し、この内面１２ａとの間にロータリシャッタ２０の先端縁２２１ａが挟み込まれるようになっている（図５（ｂ）参照）。
【００２０】
また、上シェル１１は、図３（ａ）に示すように、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２１】
さらに、上シェル１１は、その中央部に、ロータリシャッタ２０を回動可能に止め付けるセンタピン５０と係合する係合孔１１３を有している。
【００２２】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２３】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００２４】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００２５】
また、アーチ状フレーム１３１は、下向きに開口し、カートリッジケース１０の内部と外部を連通させる係合溝１３１ｅ（図６参照）を有している。この係合溝１３１ｅは、後記するロック片７０が係合する溝である。
【００２６】
Ｖノッチ部材１３３は、後記するように閉方向に付勢されるロータリシャッタ２０を閉位置で止めるストッパとしての役割と（図６参照）、ドライブ装置Ｄ（図８参照）との係合部としての役割とを備える部材であり、左端部１０ｄの前側に配置されている。
【００２７】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００２８】
＜ロータリシャッタ２０＞
ロータリシャッタ２０は、アクセス用開口部１０１を開閉するためのシャッタであり、図１に示すように、中空構造の略円盤形状に形成されている。そして、ロータリシャッタ２０の中空部に、記録ディスクメディア３０が、回転自在に収容されている（図４、図７参照）。
【００２９】
ロータリシャッタ２０は、図２及び図４に示すように、記録ディスクメディア３０を外部に臨ませる切欠部２０１を有している（図８参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３０】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図６、図８参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図８参照）。
【００３１】
また、ロータリシャッタ２０は、図示しない付勢手段（例えば渦巻きばね）によって、閉方向（図６、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図６、図８参照）。
ちなみに、本発明において、前記付勢手段は必須の構成要素ではなく、後記するように、ドライブ装置Ｄ（図８参照）から記録ディスクカートリッジ１を抜き出す際に、ロータリシャッタ２０が矢印Ａ１（閉方向）に回動するように、ドライブ装置Ｄ側にシャッタノブ２４の係止手段を設けることによって、前記付勢手段は省略することができる。
【００３２】
このようなロータリシャッタ２０は、図２及び図４に示すように、金属プレートからなる上シャッタ２１及び下シャッタ２２と、これらの間に介在した合成樹脂製のシャッタウォール２３と、を備えて構成されている。
【００３３】
［上シャッタ２１、下シャッタ２２］
上シャッタ２１は、ロータリシャッタ２０の上壁を構成する部材であり、切欠部２１１を有している。切欠部２１１は、先端縁２１１ａ，中間縁２１１ｂ，他端縁２１１ｃとから、くさび形に切り欠かれた形状に形成されている。下シャッタ２２は、ロータリシャッタ２０の下壁を構成する部材であり、切欠部２２１を有している。切欠部２２１は、先端縁２２１ａ，中間縁２２１ｂ，他端縁２２１ｃとからくさび形に切り欠かれた形状に形成されている。これらの先端縁２１１ａ，２２１ａは、ロータリシャッタ２０がカートリッジケース１０のアクセス用開口部１０１を閉じるときに、切欠部２１１，２２１における回動方向先端側に位置する縁部である。
そして、切欠部２１１と切欠部２２１とで、前記したロータリシャッタ２０の切欠部２０１が構成されている。
【００３４】
また、上シャッタ２１は、図２及び図４に示すように、その中央部に、前記したセンタピン５０を挿通させるための挿通孔２１２を有している。
【００３５】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００３６】
さらに、下シャッタ２２の下面には、ロータリシャッタ２０を回動させるためのシャッタノブ２４が取り付けられている（図４（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図８参照）。
【００３７】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタ２２の側面から、その径方向外側に向かって徐々に離れるように延出した細長の金属片である。ロック片７０の先端部７１は、径方向内側に向かってやや屈曲している（図４、図６参照）。
【００３８】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図６参照）に係合し、ロータリシャッタ２０が回動しないようになっている。
【００３９】
また、ロック片７０の先端部７１は、係合溝１３１ｅを介して、記録ディスクカートリッジ１の右側方に臨んでいる。そして、記録ディスクカートリッジ１がドライブ装置Ｄ（図８参照）に挿入されると、ドライブ装置Ｄ内のロック解除ピン（図示省略）が、ロック片７０の先端部７１を径方向内側に押し（図６の矢印Ａ６参照）、ロック片７０と係合溝１３１ｅとの係合が解除され、ロータリシャッタ２０が回動可能となるように構成されている。
【００４０】
なお、前記した上シャッタ２１及び下シャッタ２２のフレキシブルディスク３１（記録ディスクメディア３０）側には、記録ディスクメディア３０をクリーニングすると共に、記録ディスクメディア３０を保護するライナ６０，６０が設けられている（図２、図７参照）。ライナ６０，６０は、例えば、不織布等から形成されている。
【００４１】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００４２】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００４３】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図８参照）のスピンドル（図示省略）にチャックされるチャック部３２１を備えている（図１（ｂ）、図７参照）。
【００４４】
＜ハブ孔シャッタ４０＞
ハブ孔シャッタ４０は、下シェル１２とハブ３２との間の隙間Ｓ（図７、図８参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００４５】
第１シャッタ４１及び第２シャッタ４２は、それぞれ、平面視で半円状の板状部材である。第１シャッタ４１は、その一方側に、軸孔４１１を有している。同様に、第２シャッタ４２は、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００４６】
また、第１シャッタ４１は、その他方側に、ハブ３２と嵌り合うように半円形状に切り欠かれた嵌合部４１２を有している。同様に、第２シャッタ４２は、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００４７】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００４８】
≪記録ディスクカートリッジの作用効果≫
次に、記録ディスクカートリッジ１の作用効果について説明する。まず、ロータリシャッタ２０及びハブ孔シャッタ４０の動作について図５及び図８を主に参照して説明する。
【００４９】
＜ロータリシャッタ２０の動作＞
ロータリシャッタ２０は、図８右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。また、ロータリシャッタ２０が閉位置に配置されている時、アクセス用開口部１０１（１１１，１２１）の周縁部１１１ｃ，１２１ｃに沿って形成される防塵壁８１，８２に、ロータリシャッタ２０の先端縁２１１ａ，２２１ａの端面が対向するようになっている。つまり、先端縁２２１ａは、カートリッジケース１０の内面１２ａと防塵壁８２との間に挟み込まれ（図５（ｂ）参照）、ロータリシャッタ２０の先端縁２１１ａは、カートリッジケース１０の内面１１ａと防塵壁８１の屈曲部８１ｂとの間に挟み込まれる。従って、図５（ｂ）の矢印で示すように、カートリッジケース１０とロータリシャッタ２０の間の隙間は、屈折して形成（いわゆるラビリンス構造）されるため、防塵効果を向上させることができる。この結果、記録ディスクメディア３０に対する塵埃の付着を防止することができ、記録ディスクカートリッジ１における記録再生を安定させることができる。
なお、このようにロータリシャッタ２０が閉位置に配置される場合、シャッタノブ２４は、下シェル１２のガイド孔１２４の前方に位置している。
【００５０】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図６、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図６、矢印Ａ２参照）。
【００５１】
そうすると、シャッタノブ２４が固定されたロータリシャッタ２０は、カートリッジケース１０内でセンタピン５０を軸として回動する（図６、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００５２】
そして、図８左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００５３】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図６参照）。
【００５４】
＜ハブ孔シャッタ４０の動作＞
次に、このようなロータリシャッタ２０の動作に連動するハブ孔シャッタ４０について説明する。
ハブ孔シャッタ４０は、図８右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００５５】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図６、矢印Ａ４、Ａ４参照）。
【００５６】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図６、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図６、矢印Ａ５参照）。
【００５７】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図８左側参照）。その結果として、ハブ３２及びこれを備える記録ディスクメディア３０は、ハブ３２にチャックするドライブ装置Ｄのスピンドル（図示省略）により、良好に回転することができる。
【００５８】
なお、記録ディスクカートリッジ１がドライブ装置Ｄから取り出されると、閉位置に戻るロータリシャッタ２０に連動して、ハブ孔シャッタ４０は隙間Ｓを閉じる。
【００５９】
以上、本発明の実施形態について説明したが、本発明は前記実施形態に限定されず、種々の形態で実施することができる。図９は、他の実施形態に係る記録ディスクカートリッジを示す断面図である。
【００６０】
前記実施形態において、カートリッジケース１０の内面１１ａ，１２ａに防塵壁８１，８２を接着するように構成したが、本発明は特に限定されず、公知の手段で固定するものであってもよい。また、カートリッジケース自体を合成樹脂で成形する場合は、防塵壁を一体に成形するものであってもよい。さらに、Ｖノッチ部材１３３と一体に成形するものであってもよい。なお、前記実施形態では、防塵壁８１，８２の材質を合成樹脂としたが、この材質も限定されるものではない。例えばステンレス鋼の板を曲げて防塵壁８１，８２を形成し、これを金属製の上シェル１１，下シェル１２にそれぞれスポット溶接で取り付けても良い。
【００６１】
また、防塵壁８１，８２は、屈曲部８１ｂ，８２ｂを省き、壁部８１ａ，８２ａだけで構成することもできる。
【図面の簡単な説明】
【００６２】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】本実施形態に係るカートリッジケースの斜視図であり、（ａ）は上シェルを下方（内側）からみた斜視図、（ｂ）は下シェルを上方（内側）からみた斜視図である。
【図４】本実施形態に係るロータリシャッタを示す斜視図であり、（ａ）は前方斜め上方からみた図、（ｂ）は後方斜め下方からみた図である。
【図５】（ａ）は下シェルと下シャッタの平面図であり、（ｂ）は（ａ）のＡ−Ａ線矢視断面図である。
【図６】本実施形態に係る記録ディスクカートリッジを下方からみた平面図である。
【図７】本実施形態に係る記録ディスクカートリッジの要部の断面図である。
【図８】本実施形態に係る記録ディスクカートリッジをドライブ装置に挿入した状態を示す斜視図である。
【図９】（ａ）は、従来の記録ディスクカートリッジの平面図であり、（ｂ）は、（ａ）のＡ−Ａ線矢視断面図である。
【符号の説明】
【００６３】
１      記録ディスクカートリッジ
１０    カートリッジケース
２０    ロータリシャッタ
３０    記録ディスクメディア
４０    ハブ孔シャッタ
８１，８１  防塵壁
１０１  アクセス用開口部（ケース開口）
１１１ａ，１２１ａ  周縁部
２１１ａ，２２１ａ  先端縁
Ｄ      ドライブ装置
【図１】
2007164873.tif 000003
【図２】
2007164873.tif 000004
【図３】
2007164873.tif 000005
【図４】
2007164873.tif 000006
【図５】
2007164873.tif 000007
【図６】
2007164873.tif 000008
【図７】
2007164873.tif 000009
【図８】
2007164873.tif 000010
【図９】
2007164873.tif 000011